(57)【要約】【課題】省電力モードへ移行させるまでの移行時間を表示内容に関係無く固定にした場合と比較して、ユーザーが特別な操作をすることなく移行時間を長くすることができる。【解決手段】画像形成装置１０のコントローラ１２は、操作表示部２０に表示される表示ページの内容に応じて、操作表示部２０に対して無操作状態になってから操作表示部２０を省電力モードへ移行させるまでの移行時間を設定し、移行時間が経過した場合に操作表示部２０を省電力モードへ移行させるように操作表示部２０を制御する。【選択図】図１
2015014727.tif 000002
【特許請求の範囲】
【請求項１】
表示手段に表示される表示ページの内容に応じて、前記表示手段に対して無操作状態になってから前記表示手段を省電力モードへ移行させるまでの移行時間を設定する設定手段と、
前記移行時間が経過した場合に前記表示手段を省電力モードへ移行させるように前記表示手段を制御する制御手段と、
を備えた表示制御装置。
【請求項２】
前記設定手段は、前記表示ページが複数ページの場合、前記移行時間を非設定とする、又は、前記移行時間を予め定めた通常移行時間よりも長い時間に設定する
請求項１記載の表示制御装置。
【請求項３】
前記設定手段は、前記複数ページのうち最終ページが前記表示手段に表示された場合、前記通常移行時間を設定する
請求項２記載の表示制御装置。
【請求項４】
前記設定手段は、前記表示ページに含まれる文字数が多くなるに従って前記移行時間を長く設定する
請求項１記載の表示制御装置。
【請求項５】
前記設定手段は、前記表示手段が搭載される装置に設定された言語と前記表示ページの言語が異なる場合に、予め定めた通常移行時間よりも前記移行時間を長く設定する
請求項１記載の表示制御装置。
【請求項６】
前記表示手段が搭載される装置の利用者を認証する認証手段を備え、
認証された前記利用者の年令に応じて、前記設定手段により設定された前記移行時間を調整する
請求項１〜５の何れか１項に記載の表示制御装置。
【請求項７】
コンピュータを、請求項１〜６の何れか１項に記載の表示制御装置を構成する各手段として機能させるための画像形成プログラム。
【発明の詳細な説明】
【技術分野】
【０００１】
本発明は、表示制御装置及び表示制御プログラムに関する。
【背景技術】
【０００２】
特許文献１には、第１のタイマ時間が設定されたタイマと、ユーザー操作がされた際、表示をオンにするとともに前記タイマを起動させる表示制御手段と、入力割り込みが受け付けられた際、この入力が所定時間帯に発生した場合、前記タイマに設定されるタイマ時間を、前記第１のタイマ時間より長い第２のタイマ時間に切り替える切替手段と、入力割り込みが受け付けられた際、前記タイマを再起動する再起動手段と、前記タイマが満了した際、前記表示をＯＦＦにする停止手段とを備えたことを特徴とする携帯端末が開示されている。
【先行技術文献】
【特許文献】
【０００３】
【特許文献１】特開２０１１−１５５５７８号公報
【発明の概要】
【発明が解決しようとする課題】
【０００４】
本発明は、省電力モードへ移行させるまでの移行時間を表示内容に関係無く固定にした場合と比較して、ユーザーが特別な操作をすることなく移行時間を長くすることができる表示制御装置及び表示制御プログラムを提供することを目的とする。
【課題を解決するための手段】
【０００５】
請求項１記載の発明の表示制御装置は、表示手段に表示される表示ページの内容に応じて、前記表示手段に対して無操作状態になってから前記表示手段を省電力モードへ移行させるまでの移行時間を設定する設定手段と、前記移行時間が経過した場合に前記表示手段を省電力モードへ移行させるように前記表示手段を制御する制御手段と、を備える。
【０００６】
請求項２記載の発明は、前記設定手段は、前記表示ページが複数ページの場合、前記移行時間を非設定とする、又は、前記移行時間を予め定めた通常移行時間よりも長い時間に設定する。
【０００７】
請求項３記載の発明は、前記設定手段は、前記複数ページのうち最終ページが前記表示手段に表示された場合、前記通常移行時間を設定する。
【０００８】
請求項４記載の発明は、前記設定手段は、前記表示ページに含まれる文字数が多くなるに従って前記移行時間を長く設定する。
【０００９】
請求項５記載の発明は、前記設定手段は、前記表示手段が搭載される装置に設定された言語と前記表示ページの言語が異なる場合に、予め定めた通常移行時間よりも前記移行時間を長く設定する。
【００１０】
請求項６記載の発明は、前記表示手段が搭載される装置の利用者を認証する認証手段を備え、認証された前記利用者の年令に応じて、前記設定手段により設定された前記移行時間を調整する。
【００１１】
請求項７記載の発明の表示制御プログラムは、コンピュータを、請求項１〜６の何れか１項に記載の表示制御装置を構成する各手段として機能させる。
【発明の効果】
【００１２】
請求項１、７記載の発明によれば、省電力モードへ移行させるまでの移行時間を表示内容に関係無く固定にした場合と比較して、ユーザーが特別な操作をすることなく移行時間を長くすることができる、という効果を有する。
【００１３】
請求項２記載の発明によれば、表示ページのページ数に関係なく移行時間を固定にした場合と比較して、ユーザーが特別な操作をすることなく移行時間を長くすることができる、という効果を有する。
【００１４】
請求項３記載の発明によれば、最終ページが表示されても移行時間を非設定又は移行時間を長く設定した場合と比較して、表示ページの閲覧が終了したにも拘わらず省電力モードへ移行しない状態を回避することができる、という効果を有する。
【００１５】
請求項４記載の発明によれば、表示ページの文字数に関係なく移行時間を固定にした場合と比較して、ユーザーが特別な操作をすることなく移行時間を長くすることができる、という効果を有する。
【００１６】
請求項５記載の発明によれば、表示手段が搭載される装置に設定された言語と表示ページの言語が異なる場合でも移行時間を固定にした場合と比較して、ユーザーが特別な操作をすることなく移行時間を長くすることができる、という効果を有する。
【００１７】
請求項６記載の発明によれば、利用者の年令に関係なく移行時間を固定にした場合と比較して、ユーザーが特別な操作をすることなく移行時間を長くすることができる、という効果を有する。
【図面の簡単な説明】
【００１８】
【図１】画像形成装置の構成図である。
【図２】第１実施形態に係るコントローラで実行される表示制御プログラムのフローチャートである。
【図３】表示ページが複数ページある場合の画面例を示す図である。
【図４】第２実施形態に係るコントローラで実行される表示制御プログラムのフローチャートである。
【図５】移行時間テーブルの一例を示す図である。
【発明を実施するための形態】
【００１９】
（第１実施形態）
以下、第１実施形態について図面を参照しつつ詳細に説明する。
図１には、画像形成装置１０の概略構成を例示した。同図に示すように、画像形成装置１０は、コントローラ１２を含んで構成されている。
【００２０】
コントローラ１２は、ＣＰＵ（Ｃｅｎｔｒａｌ  Ｐｒｏｃｅｓｓｉｎｇ  Ｕｎｉｔ）１２Ａ、ＲＯＭ（Ｒｅａｄ  オンｌｙ  Ｍｅｍｏｒｙ）１２Ｂ、ＲＡＭ（Ｒａｎｄｏｍ  Ａｃｃｅｓｓ  Ｍｅｍｏｒｙ）１２Ｃ、不揮発性メモリ１２Ｄ、及び入出力インターフェース（Ｉ／Ｏ）１２Ｅがバス１２Ｆを介して各々接続された構成となっている。
【００２１】
Ｉ／Ｏ１２Ｅには、操作表示部２０、画像読取部２２、画像形成部２４、用紙供給部２６、用紙排出部２８、ネットワーク通信インターフェース（Ｉ／Ｆ）３０、電話回線インターフェース（Ｉ／Ｆ）３２、ハードディスク３４、及びタイマ３６等の各機能部が接続されている。
【００２２】
操作表示部２０は、例えばコピー開始等を指示するためのスタートボタンやテンキー等の各種ボタン、コピー濃度等の各種の画像形成条件を設定するための設定画面、装置の状態を表す画面等の各種画面を表示するためのタッチパネル等を含んで構成される。
【００２３】
また、操作表示部２０は、いわゆるＷｅｂブラウザの機能を有し、外部サイトにアクセスした際にはＷｅｂページを表示可能である。
【００２４】
画像読取部２２は、ラインＣＣＤ等の画像読取センサや当該画像読取センサを走査するための走査機構等を含んで構成され、装置にセットされた原稿の画像を読み取る。
【００２５】
画像形成部２４は、例えば所謂電子写真方式により記録媒体上に画像を形成するものである。具体的には、画像形成部２４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置等を含んで構成される。
【００２６】
なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等がある。
【００２７】
用紙供給部２６は、記録用紙が収容される用紙収容部や、用紙収容部から画像形成部２４へ記録用紙を供給する供給機構等を含んで構成される。
【００２８】
用紙排出部２８は、記録用紙が排出される排出部や、画像形成部２４で画像が形成された記録用紙を排出部に排出させるための排出機構等を含んで構成される。
【００２９】
ネットワーク通信Ｉ／Ｆ３０は、ネットワークを介して外部サーバとデータ通信を行うためのインターフェースである。
【００３０】
本実施形態では、操作表示部２０がＷｅｂブラウザの機能を有しているので、ネットワーク通信Ｉ／Ｆ３０を介して外部サイトにアクセスすることにより、外部サイトから提供される情報をＷｅｂページとして表示可能である。
【００３１】
電話回線通信Ｉ／Ｆ３２は、電話回線を介して接続された他の画像形成装置とファクシミリ通信を行うためのインターフェースである。
【００３２】
ハードディスク３４は、例えば装置の各部の状態や稼働状況等のログデータ、コピーやファクシミリ通信、プリント等の処理結果のログデータ、各種の設定データ、制御プログラム等が記憶される。
【００３３】
タイマ３６は、コントローラ１２から時間を指定されてタイマ開始が指示されると時間の計測を開始し、コントローラ１２から指定された時間を経過するとコントローラ１２へ通知する。
【００３４】
なお、後述する表示制御プログラムは、本実施形態では一例としてハードディスク３４に予め記憶される。ＣＰＵ１２Ａは、ハードディスク３４に記憶された表示制御プログラムを読み込んで実行する。また、ＣＤ−ＲＯＭ等の記録媒体に表示制御プログラムを記録し、これをＣＤ−ＲＯＭドライブ等で読み込むことにより実行するようにしてもよい。
【００３５】
次に、本実施形態の作用について説明する。図２には、コントローラ１２で実行される表示制御プログラムのフローチャートを示した。なお、図２に示す処理は、操作表示部２０に対してコンテンツ情報の表示が指示されると実行される。本実施形態では、コンテンツ情報が、一例として外部サイトにアクセスした際に表示されるＷｅｂページの表示コンテンツである場合を例に説明する。この場合、ユーザーが操作表示部２０を操作して外部サイトにアクセスすると図２に示す処理が実行される。なお、コンテンツ情報はＷｅｂページの表示コンテンツに限らず、例えばハードディスク３４に記憶された文書データ等でもよく、操作表示部２０に表示可能な情報であればよい。この場合、ユーザーがハードディスク３４に記憶された文書データ等を呼び出す操作をすると図２に示す処理が実行される。
【００３６】
まず、ステップ１００では、コンテンツ情報を取得する。すなわち、ユーザーが操作表示部２０を操作して外部サイトへのアクセスを指示した場合、ネットワーク通信Ｉ／Ｆ３０を介して外部サイトにアクセスしてコンテンツ情報を取得する。そして、取得したコンテンツ情報を操作表示部２０へ出力する。これにより、操作表示部２０にコンテンツ情報が表示される。
【００３７】
ステップ１０２では、取得したコンテンツ情報を操作表示部２０に表示する際のページ情報を取得する。ページ情報には、例えばページ数、各ページの文字数等が含まれる。操作表示部２０はＷｅｂブラウザを備えているため、Ｗｅｂブラウザの機能により操作表示部２０の画面サイズ及びコンテンツ情報に基づいてページ数及び各ページの文字数を算出する。なお、本実施形態では、算出された情報のうちページ数の情報を用いる。従って、コントローラ１２は、操作表示部２０からページ数を取得する。
【００３８】
ステップ１０４では、操作表示部２０から取得したページ数が複数ページであるか否かを判断し、複数ページである場合はステップ１０６へ移行し、複数ページでない場合、すなわち１ページのみの場合はステップ１０８へ移行する。
【００３９】
複数ページの場合は、図３（Ａ）〜（Ｃ）に示すように、操作表示部２０の画面右側にスクロールバー４０が表示される。ユーザーは、スクロールバー４０をタッチしてスライドさせることにより次ページを表示させる。操作表示部２０では、最終ページが表示された場合はコントローラ１２へ最終ページが表示された旨を通知する。
【００４０】
ステップ１０６では、最終ページが表示されたか否かを判断し、最終ページが表示された場合はステップ１０８へ移行し、最終ページが表示されていない場合は最終ページが表示されるまで待機する。
【００４１】
ステップ１０８では、省電力モードへ移行するまでの移行時間として予め定めた通常移行時間をタイマ３６に対して設定し、タイマ３６をオンさせる。これにより、タイマ３６では、通常移行時間が経過すると、通常移行時間が経過した旨をコントローラ１２に通知する。なお、通常移行時間は、ユーザーが１ページ分の表示を閲覧するのに必要な時間、換言すれば、この時間を経過した場合にはユーザーが１ページ分の表示の閲覧を終了しており、省電力モードへ移行してもよいと判断できる時間に設定される。
【００４２】
このように、操作表示部２０に表示されるページ数が複数ページの場合、最終ページが表示されるまでは省電力モードへ移行するまでの通常移行時間は設定されない。すなわち、操作表示部２０に表示されるページ数が１ページのみの場合、又は、操作表示部２０に表示されるページ数が複数ページの場合で最終ページが表示された場合に、省電力モードへ移行するための通常移行時間がタイマ３６に設定される。図３の例では、図３（Ａ）、（Ｂ）の状態は、最終ページを表示している状態ではないのでタイマ３６はオンされず、図３（Ｃ）に示すように最終ページが表示された場合にタイマ３６がオンされる。
【００４３】
ステップ１１０では、タイマ３６に設定された通常移行時間が経過したか否かを判断する。すなわち、タイマ３６から通常移行時間が経過した旨が通知されたか否かを判断する。そして、通常移行時間が経過した場合にはステップ１１２へ移行し、通常移行時間が経過していない場合にはステップ１１８へ移行する。
【００４４】
ステップ１１２では、省電力モードへ移行する。具体的には、例えば操作表示部２０の表示をオフにしたり、表示の輝度を下げたりすることにより、電力の消費を抑える。なお、省電力モードは、操作表示部２０の表示をオフにしたり、表示の輝度を下げたりする場合に限らず、通常状態よりも電力を抑えられる動作を実行するものであればよい。
【００４５】
ステップ１１４では、省電力モードを解除すべきか否かを判断する。具体的には、ユーザーが操作表示部２０を操作したか否かを判断することにより、省電力モードを解除すべきか否かを判断する。すなわち、省電力モードへ移行した後は、ユーザーが操作表示部２０を操作する、例えば画面をタッチすることにより省電力モードが解除される。そして、省電力モードを解除すべきと判断した場合はステップ１１６へ移行し、省電力モードを解除すべきでないと判断した場合は、省電力モードを解除すべきと判断されるまで待機する。
【００４６】
ステップ１１６では、通常モードへ移行する。具体的には、操作表示部２０の表示をオンにしたり、表示の輝度を通常の輝度に戻したりすることにより、通常の電力消費状態に戻す。
【００４７】
一方、ステップ１１８では、操作表示部２０に対して何らかの操作があったか否かを判断し、操作があった場合にはステップ１２０へ移行し、操作がなかった場合にはステップ１１０へ戻る。
【００４８】
ステップ１２０では、操作に応じた処理を実行してステップ１２２へ移行する。このように、通常移行時間が経過する前に何らかの操作があった場合には、省電力モードへは移行せず、通常モードが継続される。
【００４９】
ステップ１２２では、表示終了を指示する操作があったか否かを判断し、表示終了を指示する操作があった場合には本ルーチンを終了する。一方、表示終了を指示する操作がなかった場合には、ステップ１０８へ移行し、再度通常移行時間をタイマ３６に対して設定してタイマ３６をオンさせる。すなわち、表示終了を指示する操作以外の何らかの操作（例えば印刷を指示する動作等）があった場合には、タイマ３６がリセットされ、通常移行時間が再度設定される。
【００５０】
このように、操作表示部２０が最後に操作されてから通常移行時間を経過するまで無操作状態が継続した場合には、省電力モードへ移行するが、表示されるページ数が複数ページの場合には、図３（Ｃ）に示すように最終ページが表示されるまではタイマが設定されず、通常移行時間を経過しても表示は継続される。これにより、ユーザーが特別な操作をすることなく表示が継続され、ページの途中で省電力モードへ移行してしまうことが回避される。すなわち、ユーザーが表示内容全ての閲覧を終了する前に省電力モードへ移行してしまうことが回避される。
【００５１】
また、最終ページが表示された場合には、通常移行時間がタイマ３６に設定されるので、最終ページまで閲覧したのにもかかわらず省電力モードへ移行しない状態となるのが回避される。
【００５２】
なお、本実施形態では、表示されるページ数が複数ページの場合には、最終ページが表示されるまではタイマを非設定とする、すなわち通常移行時間を経過しても表示は継続させる場合について説明したが、これに限らず、最終ページが表示されるまでは、通常移行時間よりも長い移行時間を設定してタイマ３６をオンさせるようにしてもよい。例えば、表示されるページが５ページの場合は、１〜４ページ目を表示している場合は、表示されるページが１ページのみの場合に設定される通常移行時間よりも長い移行時間をタイマ３６に対して設定し、最終ページである５ページ目が表示された場合は、通常移行時間をタイマ３６に対して設定する。これにより、最終ページより前のページを表示中に無操作状態が長時間継続しているにもかかわらず、省電力モードへ移行しない状態となるのが回避される。
【００５３】
（第２実施形態）
【００５４】
次に、第２実施形態について説明する。なお、画像形成装置１０の構成は第１実施形態と同一であるので、説明は省略する。
【００５５】
本実施形態では、操作表示部２０に表示されたページの文字数に基づいて省電力モードへ移行する移行時間を設定する場合について説明する。
【００５６】
次に、本実施形態の作用について説明する。図４には、コントローラ１２で実行される表示制御プログラムのフローチャートを示した。
【００５７】
なお、図４に示す処理が図２に示す処理と異なるのは、ステップ１０２でページ情報のうち各ページの文字数を取得する点及びステップ１０３の処理であり、その他の処理は図２と同一であるので、詳細な説明は省略する。
【００５８】
ステップ１０３では、ステップ１０２で取得した各ページの文字数のうち、操作表示部２０に表示されたページの文字数に基づいて省電力モードへ移行するための移行時間をタイマ３６に対して設定し、タイマ３６をオンさせる。
【００５９】
具体的には、図５に示すような移行時間テーブル５０に基づいて、表示ページの文字数に応じた移行時間を設定する。なお、移行時間テーブル５０は、例えばハードディスク３４に予め記憶される。
【００６０】
図５に示すように、表示ページの文字数が０〜ｘ１文字までは、デフォルト値ｔ１が移行時間として設定される。なお、デフォルト値ｔ１は、ｘ１文字以下の表示ページを閲覧するのに必要な時間に設定され、例えば通常移行時間が設定される。また、表示ページの文字数がｘ１を越えてｘ２文字までは、ｔ１に正の数α１を加算した（ｔ１＋α１）が移行時間として設定される。α１は、（ｔ１＋α１）が、文字数がｘ１を越えてｘ２文字までの表示ページを閲覧するのに必要な時間となるように予め設定される。また、表示ページの文字数がｘ２を越える場合には、ｔ１に正の数α２（＞α１）を加算した（ｔ１＋α２）が移行時間として設定される。α２は、（ｔ１＋α２）が、文字数がｘ２を越える表示ページを閲覧するのに必要な時間となるように予め設定される。
【００６１】
なお、本実施形態では、（ｔ１＋α２）を移行時間の上限値として設定しているが、さらに文字数に応じて段階的に移行時間が増加するように移行時間テーブル５０を設定してもよい。
【００６２】
ステップ１１０〜ステップ１２２は図２と同様であるが、ページ数が複数ページの場合においてページを切り替える操作をした場合には、ステップ１１８は肯定判定され、ステップ１２０でページが切り替えられる。そして、ステップ１２２は否定判定されてステップ１０３へ戻る。ステップ１０３では、切り替え後のページの文字数に応じた移行時間がタイマ３６に対して新たに設定される。
【００６３】
このように、表示されたページの文字数に基づいて省電力モードへ移行する移行時間を設定するので、ユーザーが特別な操作をして移行時間を長くするように設定しなくても、ページの閲覧途中で省電力モードへ移行してしまうのが回避される。
【００６４】
なお、画像形成装置１０の設定言語として複数種類の言語を設定可能な場合、すなわち、操作表示部２０に表示されるメニュー及び各種設定画面の言語を、例えば日本語及び英語等の複数種類の言語の中から選択できる場合には、画像形成装置１０の設定言語と操作表示部２０に表示される言語が異なる場合には、通常移行時間よりも長い移行時間を設定するようにしてもよい。画像形成装置１０の設定言語は、ユーザーの母国語である可能性が高いが、画像形成装置１０の設定言語と表示されるページの言語とが異なる場合は、母国語が設定言語の場合と比較して、ページの閲覧に時間がかかると考えられるためである。
【００６５】
また、画像形成装置１０が、装置を利用するユーザーを認証する認証機能を有する場合、ユーザー認証されたユーザーの年令に応じて、設定された移行時間を調整するようにしてもよい。この場合、ユーザーの年令を含むユーザー情報を予めハードディスク３４に記憶しておき、このユーザー情報からユーザー認証されたユーザーの年令を取得すればよい。そして、例えば、ユーザーの年令が高くなるに従って、設定された移行時間をさらに長くするように調整する。これは、高齢になるに従って、表示されるページの閲覧に時間がかかると考えられるからである。
【００６６】
なお、上記各実施形態では、画像形成装置に本発明を適用した場合について説明したが、画像形成装置に限らず、携帯電話、スマートフォン、タブレット端末、パーソナルコンピュータ等、コンテンツ情報を表示する表示手段を備えた装置に本発明を適用してもよい。
【符号の説明】
【００６７】
１０   画像形成装置
１２   コントローラ
２０   操作表示部
２２   画像読取部
２４   画像形成部
２６   用紙供給部
２８   用紙排出部
３４   ハードディスク
３６   タイマ
４０   スクロールバー
５０   移行時間テーブル
【図１】
2015014727.tif 000003
【図２】
2015014727.tif 000004
【図３】
2015014727.tif 000005
【図４】
2015014727.tif 000006
【図５】
2015014727.tif 000007